(57)【要約】【課題】比較的低廉な管理コストのもとで各種の実験用生物を正確に個体識別して観察・管理しながら育成できる実験用生物育成管理システムおよび同育成管理方法の提供。【解決手段】１個体以上の実験用生物を収容した各育成容器１３を出入自在にラック１５内に設置して育成管理する実験用生物育成手段１１と、各育成容器１３単位での実験用生物の個々の育成情報を含む各種の必要情報の保持処理と所定の演算処理とを行う情報管理手段２１とを少なくとも備え、各育成容器１３には、該育成容器１３単位で育成する実験用生物の別に付与された識別子との関係で必要情報の読み出しと書き込みとが自在なメモリ手段３１をその着脱を自在にして配設するとともに、該メモリ手段３１と情報管理手段２１との間は、必要情報の入出力が自在に形成された読込み書込み手段４１を介して識別子の別に必要情報の送受を自在とした。【選択図】図１
2005328725.tif 000002
【特許請求の範囲】
【請求項１】
１個体以上の実験用生物を収容した個々の育成容器をその出し入れを自在にラック内に設置して育成管理する実験用生物育成手段と、
前記各育成容器単位での前記実験用生物の個々の育成情報を含む各種の必要情報の保持処理と所定の演算処理とを行う情報管理手段とを少なくとも備え、
前記育成容器側または該育成容器と対応する位置関係にある前記ラック側には、該育成容器単位で育成する前記実験用生物の別に付与された識別子との関係で前記必要情報の読み出しと書き込みとが自在なメモリ手段をその着脱を自在にして配設するとともに、
該メモリ手段と前記情報管理手段との間は、前記必要情報の入出力が自在に形成された読込み書込み手段を介して前記識別子の別に前記必要情報の送受を自在としたことを特徴とする実験用生物育成管理システム。
【請求項２】
前記メモリ手段はＩＣタグであり、前記読込み書込み手段はカードリーダーまたはハンディターミナルである請求項１に記載の実験用生物育成管理システム。
【請求項３】
前記各メモリ手段には、個々の育成容器との対応関係が視別できる視認情報が表示されたラベルを配備させた請求項１または２に記載の実験用生物育成管理システム。
【請求項４】
前記実験用生物育成手段と前記情報管理手段とは、複数の試験研究機関の別に設置され、各試験研究機関が前記情報管理手段に保持させた前記必要情報は、インターネットとイントラネットとを含む通信インフラを介して双方向での共有を自在とした請求項１ないし３のいずれかに記載の実験用生物育成管理システム。
【請求項５】
１個体以上の実験用生物を収容した個々の育成容器をその出し入れを自在にラック内に設置して育成管理する実験用生物育成手段における前記育成容器側または該育成容器と対応する位置関係にある前記ラック側に対し、識別子を付与して育成する実験用生物に関する育成情報の読み出しと書き込みとが自在なメモリ手段をその着脱を自在に配設するプロセスと、
所定の演算処理とを行う情報管理手段に対し前記各育成容器単位での前記実験用生物の個々の前記育成情報を含む各種の必要情報の保持処理を行わせるプロセスと、
前記必要情報の入出力が自在に形成された読込み書込み手段を介して前記メモリ手段と前記情報管理手段とのそれぞれに前記識別子の別に前記必要情報の送受を行うプロセスとを経ることで、
各育成容器内に収容されている前記実験用生物をその識別子が付された前記育成情報とともに観察・管理しながら育成することを特徴とする実験用生物育成管理方法。
【請求項６】
前記実験用生物育成手段と前記情報管理手段とを複数の試験研究機関の別に設置し、各試験研究機関が前記情報管理手段に保持させた前記必要情報は、インターネットとイントラネットとを含む通信インフラを介して双方向で共有させる請求項５に記載の実験用生物育成管理方法。
【発明の詳細な説明】
【技術分野】
【０００１】
本発明は、育成容器内に収容した各種の実験用生物を正確に個体識別して観察・管理しながら育成することができる実験用生物育成管理システムおよび実験用生物育成管理方法に関する技術である。
【背景技術】
【０００２】
実験用生物育成手段のなかには、例えば医療研究や遺伝子操作の実験などに供されるマウスやラットなどの実験用動物を正確に観察・管理しながら飼育する実験用動物飼育装置があり、この種の装置は、必須の設備として各種の試験研究機関に設置されている。
【０００３】
また、前記実験用動物飼育装置は、１匹以上の実験用動物を収容した複数個の飼育容器と、これらの各飼育容器を各別での出入を自在に収納する多段式のラックとを少なくとも備えて形成されている。そして、通常は、各飼育容器にカードホルダーを取り付けておき、該カードホルダー内に必要事項を印刷または手書きしたカードを入れて飼育容器相互を識別できるようにその対応を図っているが、記載できる情報量に限りがあった。
【特許文献１】特開２０００−６９８７２号公報
【０００４】
この場合、前記実験用動物飼育装置は、飼育容器内の実験用動物を健常状態のもとで飼育しなければならないため、床敷材一つをとっても衛生保持の観点から人手を介して頻繁に交換しなければならないなど、多くの人手を介して煩雑な日常管理作業を行う必要がある。
【０００５】
ところで、特許文献１に開示されている実験用動物飼育装置にあって例えば床敷材を交換する際などには、ラック内から個々の飼育容器を取り出して床敷材の交換などに必要な諸作業を行った上で、再び元の位置に戻す必要がある。
【０００６】
しかし、飼育容器が多数個に及ぶ場合には、取り出した飼育容器を正確に元の位置に戻さずに、誤った位置に戻してしまうことがある。その結果、試験研究従事者は、実験用動物の個体識別を誤って正確に観察・管理することができなくなり、結果的に試験研究それ自体を不正確なものにしてしまうという問題があった。
【０００７】
このような個体の取り違えは、特に遺伝情報が重要な位置を占める実験の場合、特定の実験用動物と該実験用動物の遺伝情報との対応がとれなくなり、過去から長年にわたり蓄積してきた研究上の有用情報を無価値化してしまう不都合があった。
【０００８】
このため、かかる不都合を回避する手法としては、実験用動物の遺伝情報および実験の履歴に関する情報を非接触で外部から読み取りと書き込みとを可能にすることで、個々の実験用動物に関する情報を正確に管理するようにしたした生体個体情報管理システムも既に提案されている。
【特許文献２】特開２００２−９５６３８号公報
【発明の開示】
【発明が解決しようとする課題】
【０００９】
しかし、特許文献２に開示されている生体個体情報管理システムによる場合には、個々の実験用動物の体内にＩＣチップを各別に埋め込んでおく必要があることから、実験用動物の数だけＩＣチップが必要になるばかりでなく、その体内埋込み作業も別途に必要になることから実験コスト増を招くほか、体内埋込みに伴って個々の実験用動物に対し好ましからざる影響を及ぼすことになるなどの課題があった。
【００１０】
本発明は、従来技術にみられた上記課題に鑑み、比較的低廉な管理コストのもとで各種の実験用生物を正確に個体識別して観察・管理しながら育成することができる実験用生物育成管理システムおよび実験用生物育成管理方法を提供することを目的とする。
【課題を解決するための手段】
【００１１】
本発明は、上記目的を達成すべくなされたものであり、そのうちの第１の発明（システム）は、１個体以上の実験用生物を収容した個々の育成容器をその出し入れを自在にラック内に設置して育成管理する実験用生物育成手段と、前記各育成容器単位での前記実験用生物の個々の育成情報を含む各種の必要情報の保持処理と所定の演算処理とを行う情報管理手段とを少なくとも備え、前記育成容器側または該育成容器と対応する位置関係にある前記ラック側には、育成容器単位で育成する前記実験用生物の別に付与された識別子との関係で前記必要情報の読み出しと書き込みとが自在なメモリ手段をその着脱を自在にして配設するとともに、該メモリ手段と前記情報管理手段との間は、前記必要情報の入出力が自在に形成された読込み書込み手段を介して前記識別子の別に前記必要情報の送受を自在としたことを最も主要な特徴とする。
【００１２】
このシステムおいては、前記メモリ手段としてＩＣタグを、前記読込み書込み手段としてカードリーダーまたはハンディターミナルをそれぞれ用いるのが好ましい。また、前記各メモリ手段には、個々の育成容器との対応関係が視別できる視認情報が表示されたラベルを配備しておくのが望ましい。さらに、前記実験用生物育成手段と前記情報管理手段とは、複数の試験研究機関の別に設置し、各試験研究機関が前記情報管理手段に保持させた前記必要情報は、インターネットを含む通信インフラを介して双方向での共有を自在とするようにしてもよい。
【００１３】
また、第２の発明（方法）は、１個体以上の実験用生物を収容した個々の育成容器をその出し入れを自在にラック内に設置して育成管理する実験用生物育成手段における前記育成容器側または該育成容器と対応する位置関係にある前記ラック側に対し、識別子を付与して育成する実験用生物に関する育成情報の読み出しと書き込みとが自在なメモリ手段をその着脱を自在に配設するプロセスと、所定の演算処理とを行う情報管理手段に対し前記各育成容器単位での前記実験用生物の個々の前記育成情報を含む各種の必要情報の保持処理を行わせるプロセスと、前記必要情報の入出力が自在に形成された読込み書込み手段を介して前記メモリ手段と前記情報管理手段とのそれぞれに前記識別子の別に前記必要情報の送受を行うプロセスとを経ることで、各育成容器内に収容されている前記実験用生物をその識別子が付された前記育成情報とともに観察・管理しながら育成することを最も主要な特徴とする。
【００１４】
この方法においては、前記実験用生物育成手段と前記情報管理手段とを複数の試験研究機関の別に設置し、各試験研究機関が前記情報管理手段に保持させた前記必要情報は、インターネットを含む通信インフラを介して双方向で共有させるようにするものであってもよい。
【発明の効果】
【００１５】
本発明によれば、育成容器単位で現に育成されている１個体以上の実験用生物の別に識別子が付された育成情報を含む必要情報の読み出しと書き込みとが自在なメモリ手段を、対応する育成容器の別にその着脱を自在に配設し、該メモリ手段と情報管理手段との間は、前記必要情報の入出力が自在に形成された読込み書込み手段を介して前記識別子の別に前記必要情報の送受を自在としたので、メモリ手段と育成容器との対応関係を確認することで、正確な固体識別のもとで観察・管理しながら育成することができる。したがって、比較的低廉な管理コストのもとで個々の実験用生物に関する必要情報を正確に管理することができる。
【発明を実施するための最良の形態】
【００１６】
図１は、本発明における第１の発明に係るスシステム構成例を示す説明図であり、システムの全体は、実験用生物を育成管理する実験用生物育成手段１１と、所要の演算・制御処理を行う情報管理手段２１と、情報の読み出しと書き込みとが自在なメモリ手段３１と、これら情報管理手段２１とメモリ手段３１との間に介在させて情報の送受を行う読込み書込み手段４１と、情報管理手段２１を介して駆動制御されるプリント手段５１とを備えて構成されている。なお、本明細書における「実験用生物」の語には、鳥獣・魚類などの動物のほか、植物も含まれる。このため、本明細書において「育成」の語は、実験用生物が動物である場合には「飼育」を、植物である場合には「生育」をそれぞれ意味するものとして使用する。
【００１７】
このうち、実験用生物育成手段１１は、複数個の育成容器１３と、これらの育成容器１３を出し入れ自在に収納する多段式を含む適宜構造のラック１５とを少なくとも備えて形成されており、各育成容器１３には、１個体以上の実験用生物が収容されている。以下、実験用生物育成手段１１は、１個体以上のラットなどをケージと称される育成容器１３内にて実験用動物として飼育管理する実験用動物飼育装置１２を例に説明する。
【００１８】
情報管理手段２１は、実験用動物飼育装置１２がラック１５内に設置している各育成容器１３単位での実験用動物の個々の育成情報（例えば図５に飼育履歴として示す実験用生物情報６１に対応）を含む各種の必要情報の保持処理と所定の演算処理とを行わせるものであり、具体的には、パーソナルコンピュータ２２や情報携帯端末（ＰＤＡ）などを含む適宜の情報処理装置により構成される。以下、情報管理手段２１は、パーソナルコンピュータ（以下、「ＰＣ」と略称する。）２２を例に説明する。
【００１９】
メモリ手段３１は、育成容器１３単位で育成する実験用動物の別に付与された識別子との関係で必要情報の読出し書込みを行わせるためのものであり、具体的には磁気カードやメモリ容量が比較的大きなＩＣタグ３２などのような情報の読出し書込みが自在な適宜の記憶媒体を好適に用いることができる。以下、メモリ手段３１は、ＩＣタグ３２を例に説明する。なお、識別子は、同一の育成容器１３内に収容される１個体以上の実験用動物の別に付与されるものであり、各実験用動物の別に与えられた目印（例えばラットの耳に形成された小孔の数と位置など）との対応関係のもとで付与されるものであり、例えば後述するラベル５３に管理番号５３ａなどとして表示することができる。
【００２０】
また、各育成容器１３の前面１３ａ側または各育成容器１３の設置位置と対応する位置関係にあるラック１７側には、ＩＣタグ３２を差し込むためのホルダー１４が形成されており、該ホルダー１４を介してＩＣタグ３２をその着脱を自在にして保持させておくことができるようになっている。
【００２１】
読込み書込み手段４１は、ＰＣ２２側やＩＣタグ３２側が保持している情報（例えば図５に飼育履歴として示す実験用生物情報６１）を読み込んだり、ＰＣ２２側やＩＣタグ３２側が例えば図５に飼育履歴として示す実験用生物情報６１として保持している情報に新たな情報を書き込んだりする際に用いられるものであり、具体的には、図示例のように据え置きタイプのカードリーダー４２や携帯式のハンディターミナル４３を好適に用いることができる。このように読込み書込み手段４１を介在させることで、ＰＣ２２とＩＣカード３２との間は、識別子のひとつである管理番号（図５左欄参照）の別に必要情報を送受することができることになる。
【００２２】
プリント手段５１は、ＩＣタグ３２の表面に貼着するために用意されるラベル５３に対して識別子（例えば管理番号）を含む必要事項を印字することができるラベルプリンタ５２のほか、通常のレーザプリンタなども用いることができる。以下、プリント手段５１は、ラベルプリンタ５２を例に説明する。
【００２３】
次に、図１に例示した上記システム（第１の発明）に適用して実施される本発明方法（第２の発明）を図２〜図９を参照しながら説明する。
【００２４】
図２は、ＰＣ２２側に保持させてある実験用生物情報をＩＣタグ３２側に登録する際の処理手順を示すフローチャートであり、まず、ＰＣ２２が保持しているファイル（例えばマイクロソフト社の「Ｅｘｃｅｌ」、以下同じ。）を起動させて開き、図５に例示したフォーマットからなる実験用生物情報６１をディスプレイ２３に表示する。なお、ファイルのフォーマットは、利用者側で適宜カスタマイズすることができる。
【００２５】
次いで、ＰＣ２２側が備える読込み書込みコントロールの起動処理を選択して読込み書込み処理（以下、「Ｒ／Ｗ処理」という。）を起動させた後、図１に示されているようにＰＣ２２に読込み書込み手段４１として接続された据置き型のカードリーダー４２の所定位置にＩＣタグ３２を置いて認識させる。この際、該ＩＣタグ３２が新規のものであるとＰＣ２２側が認識した際には、最後尾に新規行が追加され、該新規行には、必要情報が入力され、書き込みボタンを押す（クリックする）ことによりＩＣタグ３２に所定の必要情報が書き込まれて登録される。
【００２６】
このような一連の登録処理は、必要数分についての全ての登録を終えるまで繰り返し行われ、登録をすべて終えた後にＲ／Ｗ処理を停止してＰＣ２２側にファイルを保存させる。
【００２７】
しかる後、ラベルプリンタ５２は、ＰＣ２２による駆動制御のもとでファイルから図６に例示するように管理番号５３ａ等の視認情報が印字されたラベル５３を印刷し、印刷後の該ラベル５３は、対応するＩＣタグ３２に貼着してファイル処理を終了する。なお、図５に示すラベル５３には、視認情報として管理番号５３ａのほか、管理者名５３ｂ、導入匹数５３ｃおよび薬注情報５３ｄが印字できるようになっているが、所望によりその他の印字項目を適宜設定して印字させることもできる。
【００２８】
このようにしてファイル処理を終えた後は、ラベル５３が貼着されたＩＣタグ３２をラベル５３側をその表面側に位置させて育成容器１３のホルダー１４やラック１５側の図示しないホルダー内に差し込んで保持させる。この場合、どの育成容器１３等にどのＩＣタグ３２を保持させるかは、ＩＣタグ３２に貼着されているラベル５３の管理番号５３ａを目視確認しながら判別することで行われる。
【００２９】
かくして、個々の育成容器１３に対応するＩＣタグ３２を保持させた後は、それぞれを所定の位置にあるラック１５内に設置するなどしてその登録処理を終了する。
【００３０】
図３は、登録処理を終えた後の実際の運用処理のうち、育成容器１３における育成状態（飼育履歴）に関する必要情報をハンディターミナル４３を用いて連続入力することで、多数の育成容器１３内の実験用動物の状態を日常的に登録するための一括管理方式についての処理手順を例示したフローチャートである。
【００３１】
同図によれば、一括管理方式は、まず、ＰＣ２２が保持しているファイルを起動させて開き、図５に例示したフォーマットからなる実験用生物情報６１をディスプレイ２３に表示する。
【００３２】
次いで、ファイル（実験用生物情報６１）の最新情報を中継器２４を介してＰＣ２２側からハンディターミナル４３へとダウンロードした後、調査対象である特定の育成容器１３が備えるＩＣタグ３２にかざしてこれを認識させる。このようにハンディターミナル４３に特定のＩＣタグ３２を認識させた際には、ハンディターミナル４３の表示器４４にＩＣタグ３２から読み取った管理番号情報のほか、系統情報、日付情報（図中の「ＹＹＹＹ／ＭＭ／ＤＤ」欄）、性別情報、導入匹数情報、状態情報および薬注情報が図７に示されるフォーマットにて表示されるので、これを目視確認することができる。
【００３３】
しかる後、実験用動物の管理情報である育成状態に関する必要情報を予め定めてある選択肢中から選んで入力してこれを登録する。図８は、表示器４４に表示された管理情報入力画面の詳細を例示した説明図であり、管理番号情報のほか、該管理番号情報との対応関係にある実験用動物の導入匹数のうち、例えば１匹目というように特定の実験用動物を表示した上で、該実験用動物の飼育状態に関する情報、すなわち生存を意味する「生」、実験を意味する「実」、死亡を意味する「死」、自然死を意味する「自」および処分を意味する「清」の番号付き選択肢中から該当するものを選択して登録することができることができるようになっている。
【００３４】
そして、このような一連の認識処理は、調査対象となっている全ての育成容器１３のＩＣタグ３２に対して行った後、その処理を終了する。
【００３５】
調査対象となっている全てのＩＣタグ３２に対する認識処理を終えた後は、ハンディターミナル４３からＰＣ２２のファイル側へとアップロードした後、その内容の確認処理が行われ、更新された情報を確認した上で、変更箇所があれば修正され、特記事項があればがあれば追加記入されて一括管理のファイル処理を終了する。
【００３６】
図９は、ハンディターミナル４３を用いて連続入力して登録する上記一括管理方式を行う際の表示器４４における表示状況の遷移を実験用動物をマウスとした場合につき示す説明図であり、表示器４４には、まず、マウス管理システムが「ケージ情報表示」、「状態管理」および「ＰＣ接続」の項目別に表示される。このとき、「ケージ情報表示」を選択した場合には、「ケージを選択して下さい」のメッセージが表示され、該当するボタンを押すと、赤外線でＩＣタグを識別し、有効であればＩＣタグ情報を読み込むことにより図７に示す画面が表示される。しかし、有効なＩＣタグがない無効の場合には、「未登録のカードです」のメッセージが表示されるのみである。
【００３７】
また、「状態管理」を選択した場合には、「ケージ状態管理」の見出しのもとで、「ケージを選択してください」のメッセージが表示される。この表示パターンにおいて該当するボタンを押すと、赤外線でＩＣタグを識別し、有効であればＩＣタグ情報である管理番号を読み込むことにより、図８に示す画面が表示される。しかる後、導入匹数分繰り返す処理を行うことにより管理状態が更新され、「情報を更新しました」のメッセージが表示される。しかし、有効なＩＣタグがない無効の場合には、「未登録のカードです」のメッセージが表示されるのみである。
【００３８】
さらに、「ＰＣ接続」を選択した場合には、「データアップロード」と「データダウンロード」との項目が表示され、「データアップロード」を選択した際には「アップロード中」のメッセージのもとで最新の状態情報をファイル側にアップロードされ、「データダウンロード」を選択した際には「ダウンロード中」のメッセージのもとでケージ情報と選択肢情報とがファイルからダウンロードされる。
【００３９】
一方、図４は、登録処理を終えた後の実際の運用処理のうち、育成容器１３における飼育状態に関する必要情報を据置きＲ／Ｗ（読込み書込み手段４１）であるカードリーダー４２を用いて個別に入力して登録する個別管理方式の処理手順を例示したフローチャートである。
【００４０】
同図によれば、個別管理方式は、まず、ＰＣ２２が保持しているファイルを起動させて開き、図５に例示したフォーマットからなる実験用動物情報６１をディスプレイ２３に表示する。
【００４１】
次いで、ＰＣ２２側が備える読込み書込みコントロールの起動処理を選択してＲ／Ｗ処理を起動させた後、図１に示されているように特定の育成容器１３側から取り出されたＩＣタグ３２をＰＣ２２に接続された据置き型のカードリーダー４２の所定位置に置いて認識させる。
【００４２】
このようにして読込み書込み手段４１に特定のＩＣタグ３２を認識させると、該ＩＣタグ３２に対応する行へとカーソルが移動するので、その行から対応情報を読み込んでＰＣ２２側に入力する。このような読み込み処理を調査対象となっているすべての育成容器１３が備えるＩＣタグ３２について行った後、図５の左欄上部の「据置Ｒ／Ｗ」欄内に「書込」と表示されている書込みボタンを押すことにより、ＩＣタグ３２に更新情報が書き込まれる。しかる後、Ｒ／Ｗ処理を停止させるとともに、ファイルを保存してその処理を終了する。
【００４３】
以上は、本発明を図示例に基づいて説明したものであり、その具体的な内容はこれに限定されるものではない。例えば、本発明システムは、プリント手段５１を含めて図示されているが、所望によりプリント手段５１を含まない構成とすることもできる。また、実験用動物に代えて適宜の実験用植物を育成容器に収容して生育させることもできる。さらに、本発明における実験動植物育成手段１１と情報管理手段２１とは、複数の試験研究機関の別に設置しておき、各試験研究機関が対応配置されている情報管理手段に各別に保持させてある必要情報を、インターネットとイントラネットとを含む通信インフラを介することで双方向で共有することができるようにしておくこともできる。なお、実験用動物としては、マウス、ラット、モルモット、ウサギ、ゼブラフィッシュ、めだか、ショウジョウバエのほか、比較的大型な猿、犬、牛なども好適に飼育管理することができる。実験用植物としては、ナズナなどを好適に生育管理することができる。
【００４４】
また、ディスプレイに表示する実験用生物情報は、図１０に示すフォーマットのもとで管理番号の別に表示することができる。すなわち、管理番号欄には識別子としての「管理ＡＢＣＤ」等が、飼育動物欄には「マウス」等であることが、系統欄には「クローズドコロニー」等であることが、性別欄には「♂」等であることが、日付欄には実験日を示す「２００４／０４／１４」等が、薬注情報欄には「プリオン」等であることが、メモ欄には「挙動異常」等であることが、計測日付欄には実計測日を示す「２００４／０４／１５」等が、導入匹数欄には「３」等であることが、管理記録欄には、導入匹数に応じた管理記録が例えば１匹目は「生存」していてその体重が「２８．３」グラムであるなどとして表示することができる。また、管理記録欄における「平均」項目欄には、例えば３匹の平均体重が「２８．１６７」グラムなどであることを、標準偏差項目欄にはその標準偏差が「５．３０１」などであることをそれぞれ表示することができる。
【図面の簡単な説明】
【００４５】
【図１】本発明における第１の発明に係るスシステム構成例を示す説明図。
【図２】本発明における第２の発明（方法）にあってＰＣ側に保持させてある実験用生物情報をＩＣタグ側に登録する際の処理手順を示すフローチャート図。
【図３】第２の発明における実際の運用処理のうち、育成状態に関する必要情報をハンディターミナルを用いて連続入力して登録する一括管理方式の処理手順を例示したフローチャート図。
【図４】第２の発明における実際の運用処理のうち、育成状態に関する必要情報を据置きＲ／Ｗであるカードリーダーを用いて個別に入力して登録する個別管理方式の処理手順を例示したフローチャート図。
【図５】ディスプレイに対する実験用生物情報の表示例を示す説明図。
【図６】ラベルの書式例を示す説明図。
【図７】ＩＣタグから読み取った情報のハンディターミナルの表示器への表示例を示す説明図。
【図８】同表示器に表示された管理情報入力画面の詳細を例示した説明図。
【図９】一括管理方式を行う際の表示器における表示状況の遷移を実験用動物をマウスとした場合につき示す説明図。
【図１０】ディスプレイに対する実験用生物情報の実表示例を示す説明図。
【符号の説明】
【００４６】
１１実験用生物育成手段
１２実験用動物飼育装置
１３育成容器
１３ａ前面
１４ホルダー
１５ラック
２１情報管理手段
２２パーソナルコンピュータ（ＰＣ）
２３ディスプレイ
２４中継器
３１メモリ手段
３２ＩＣタグ
４１読込み書込み手段
４２カードリーダー
４３ハンディーターミナル
４４表示器
５１プリント手段
５２ラベルプリンタ
５３ラベル
６１実験用生物情報
【図１】
2005328725.tif 000003
【図２】
2005328725.tif 000004
【図３】
2005328725.tif 000005
【図４】
2005328725.tif 000006
【図５】
2005328725.tif 000007
【図６】
2005328725.tif 000008
【図７】
2005328725.tif 000009
【図８】
2005328725.tif 000010
【図９】
2005328725.tif 000011
【図１０】
2005328725.tif 000012